(57)【要約】【課題】過去の設定履歴を利用する利便性を向上する画像処理装置を提供する。【解決手段】画像処理が実行された画像データと当該画像処理の設定とを関連付けて格納する格納部から、画像処理を実行する画像データに対応する画像データに関連付けられた画像処理の設定を取得する。取得された画像処理の設定が複数ある場合、それら複数の画像処理の設定の差を識別可能に表示装置に表示させる。【選択図】図３
2015058592.tif 000002
【特許請求の範囲】
【請求項１】
画像データに対して画像処理を実行する実行手段と、
画像処理が実行された画像データと当該画像処理の設定とを関連付けて格納する格納手段から、前記実行手段により画像処理を実行する画像データに対応する画像データに関連付けられた画像処理の設定を取得する取得手段と、
前記取得手段により取得された画像処理の設定が複数ある場合、当該複数の画像処理の設定の差を識別可能に表示装置に表示させる表示制御手段と、
を備えることを特徴とする画像処理装置。
【請求項２】
前記表示制御手段は、各設定と、前記実行手段により画像処理を実行する画像データに関連付けられた設定と、の差を識別可能に前記表示装置に表示させることを特徴とする請求項１に記載の画像処理装置。
【請求項３】
前記表示制御手段は、各設定に対応する画像を前記表示装置にさらに表示させることを特徴とする請求項１又は２に記載の画像処理装置。
【請求項４】
前記実行手段により画像処理を実行する画像データに関連付けられた設定との差が所定の範囲内の設定を有する画像データを前記格納手段において検索する検索手段、をさらに備え、
前記取得手段は、前記検索手段により検索された画像データに関連付けられた設定を取得する、ことを特徴とする請求項１乃至３のいずれか１項に記載の画像処理装置。
【請求項５】
前記所定の範囲を設定する設定手段、をさらに備えることを特徴とする請求項４に記載の画像処理装置。
【請求項６】
前記所定の範囲は、ファイル名の一致と、画像の画素数と、日時と、のうちの少なくとも１つに基づくことを特徴とする請求項４又は５に記載の画像処理装置。
【請求項７】
画像処理装置において画像処理が実行された画像データと当該画像処理の設定とを関連付けて格納する格納手段から、前記画像処理装置により画像処理を実行する画像データに対応する画像データに関連付けられた画像処理の設定を取得する取得工程と、
前記取得工程において取得された画像処理の設定が複数ある場合、当該複数の画像処理の設定の差を識別可能に表示装置に表示させる表示制御工程と、
を有することを特徴とする表示制御方法。
【請求項８】
請求項１乃至６のいずれか１項に記載の画像処理装置の各手段としてコンピュータを機能させるためのプログラム。
【発明の詳細な説明】
【技術分野】
【０００１】
本発明は、画像データの画像処理の履歴を表示する画像処理装置、表示制御方法およびプログラムに関する。
【背景技術】
【０００２】
記録媒体の種類や印刷品質等の印刷設定の履歴を保存しておき、後で、保存している過去の履歴を選択することで、過去の設定で印刷を行う処理がある。その際には、履歴をリスト形式で表示してユーザに選択させる方法が多い。保存の際には、印刷する画像と、印刷時の設定情報とを関連づけて保存することが知られている（特許文献１）。また、これから印刷しようとしている画像と同じ画像を過去に印刷したことがある場合には、その過去の印刷設定を自動的に適用することで設定作業を省くことができることが知られている（特許文献２）。
【先行技術文献】
【特許文献】
【０００３】
【特許文献１】特開２００８−２３８９０号公報
【特許文献２】特開２００５−７４８５０号公報
【発明の概要】
【発明が解決しようとする課題】
【０００４】
従来の方法では、印刷に使用した画像や、画像に関連付けられた各設定内容については確認することができる。しかしながら、同じ画像を少しずつ設定変更して複数回印刷した場合には、各設定内容を詳細に比較しなければ、印刷画像ごとの設定の違いがどのように印刷されるのかが分からない。また、過去に印刷した画像と同じであればその時の設定内容が自動的に反映される構成であっても、他の画像の設定を使用したい場合には、直ちに反映することができない。
【０００５】
本発明の目的は、このような従来の問題点を解決することにある。本発明は、上記の点に鑑み、過去の設定履歴を利用する利便性を向上させた画像処理装置、表示制御方法およびプログラムを提供することを目的とする。
【課題を解決するための手段】
【０００６】
上記課題を解決するため、本発明に係る画像処理装置は、画像データに対して画像処理を実行する実行手段と、画像処理が実行された画像データと当該画像処理の設定とを関連付けて格納する格納手段から、前記実行手段により画像処理を実行する画像データに対応する画像データに関連付けられた画像処理の設定を取得する取得手段と、前記取得手段により取得された画像処理の設定が複数ある場合、当該複数の画像処理の設定の差を識別可能に表示装置に表示させる表示制御手段と、を備えることを特徴とする。
【発明の効果】
【０００７】
本発明によれば、過去の設定履歴を利用する利便性を向上させることができる。
【図面の簡単な説明】
【０００８】
【図１】記録システムの構成を示すブロック図である。
【図２】印刷制御プログラムの構成を示すブロック図である。
【図３】印刷履歴の表示画面を示す図である。
【図４】印刷履歴の表示画面を示す他の図である。
【図５】表示条件を設定する設定画面を示す図である。
【図６】入力画像データに対する処理の選択画面を示す図である。
【図７】一つの履歴を選択した場合に表示される画面を示す図である。
【図８】一つの履歴を選択した場合に表示される画面を示す他の図である。
【図９】入力画像リストの表示処理の手順を示す図である。
【図１０】履歴の適用リストの表示処理の手順を示す図である。
【図１１】入力画像データが編集された後の処理の手順を示す図である。
【発明を実施するための形態】
【０００９】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１０】
（実施形態１）
図１は、本実施形態における印刷システム１０の概略構成を示すブロック図である。印刷システム１０は、ホストコンピュータ２０とプリンタ３０とを含む。
本実施形態において、プリンタ３０はインクジェット記録装置であるが、例えば、電子写真方式の記録装置や、オフセット印刷機などの他の記録方式による記録装置が使用されても良い。プリンタ３０は、ネットワークを介して若しくは直接、ＰＣ等の外部のホストコンピュータ２０と相互に通信可能に接続されている。
【００１１】
ホストコンピュータ２０は、画像データに画像処理を行う画像処理装置である。ホストコンピュータは、ＣＰＵ１１、ＲＡＭ１２、ＲＯＭ１３、キーボードコントローラ（ＫＢＣ）、ディスプレイコントローラ（ＤＩＳＰＣ）１６、ディスクコントローラ（ＤＫＣ）１８、プリンタコントローラ（ＰＲＴＣ）２１を備える。これらは、それぞれ内部のシステムバスに接続されている。さらに、キーボード（ＫＢ）１５と、ディスプレイ１７と、外部記憶部１９を備える。
【００１２】
ホストコンピュータ２０のＣＰＵ１１は、ＲＡＭ１２等に格納された各種プログラムを実行し、内部のシステムバスに接続された各デバイスを総括的に制御する。ＲＡＭ１２は、ＣＰＵ１１の主メモリ若しくはワークエリアとして機能する。ＲＯＭ１３は、オペレーティングシステム、本実施形態の動作を実現するための制御プログラム、ブートプログラム、各種アプリケーション、ユーザファイル等を記憶する。ＣＰＵ１１は、ＲＯＭ１３からＲＡＭ１２に制御プログラムをロードして実行することにより、本実施形態の動作を実行する。
【００１３】
プリンタコントローラ（ＰＲＴＣ）２１は、プリンタ３０とホストコンピュータ２０との間で、印刷対象の画像データやコマンド等の送受信を制御する。キーボードコントローラ（ＫＢＣ）１４は、キーボード１５や不図示のポインティングデバイスを制御して、ユーザ操作を受け付ける。ディスプレイコントローラ（ＤＩＳＰＣ）１６は、ディスプレイ１７を制御して、印刷設定等を受付可能なユーザインタフェース画面を表示する。ディスクコントローラ（ＤＫＣ）１８は、ハードディスク（ＨＤＤ）やフロッピーディスク（ＦＤＤ）等の外部記憶部１９との間で、書込み／読出しを制御する。
【００１４】
プリンタは、印刷制御部２２と、印刷エンジン２３と、不揮発性記憶部２４と、を備える。プリンタ３０の印刷制御部２２は、ホストコンピュータ２０から印刷対象の画像データや、印刷ジョブ等のコマンドを受信し、印刷エンジン２３を制御して記録媒体への印刷処理を制御する。印刷制御部２２は、プリンタ３０全体を統括するＣＰＵや、印刷を行うための印刷制御プログラムや印刷対象のデータ等が記憶されるＲＯＭを含む。不揮発性記憶部（ＲＡＭ）２４は、プログラムやデータ等を一時的に記憶する。
【００１５】
図２は、ホストコンピュータ２０において本実施形態の動作を実現するための印刷制御プログラムの機能構成を示すブロック図である。印刷制御プログラム２０２は、色調整部２０３、色変換部２０４、コマンド部２０５、ファイル変換部２０６を備え、印刷対象の入力画像データ２０１を、ＰＤＬ形式等プリンタ３０が解釈可能な形式に変換してプリンタ３０に送信する動作を実現する。
【００１６】
色調整部２０３は、入力画像データ２０１の例えばＲＧＢ値に基づいて、明るさ、コントラスト、トーンカーブ等の調整を行う。色調整部２０３は、例えば、ディスプレイ１７に上記各パラメータを調整するための設定画面を表示し、ユーザからの設定操作を受け付けて、各パラメータを調整する。
【００１７】
色変換部２０４は、入力画像データ２０１を色変換ルックアップテーブルを用いて、デバイス依存の色空間データに変換する。コマンド部２０５は、色変換部２０４により変換された画像データに対して、プリンタ３０が解釈可能な、例えばＰＤＬコマンドを付加して、プリンタ３０に送信する。ファイル変換部２０６は、色変換部２０４により変換された画像データをプリンタ３０に送信せずに外部記憶部１９に格納しておく場合に、その画像データをＴｉｆｆやＪＰＥＧ形式のデータに変換する。
【００１８】
図３は、ディスプレイ１７に表示される、入力画像データの印刷履歴の表示画面の一例を示す図である。入力画像リスト３００は、過去に印刷やファイル出力（以下、「印刷」を代表例として説明する）に使用した入力画像データ２０１の見出し画像の一覧をファイル名とともに表示する。ユーザは、入力画像リスト３００に表示された一覧から、所望の入力画像データを選択して特定することができる。入力画像リスト３００は、過去に印刷した入力画像データを全て表示する。若しくは、入力画像リスト３００を、現在、印刷の対象となっている画像３０３と同じファイル名の入力画像データに着目して表示するようにしても良い。なお、本実施形態では、印刷履歴の表示部３１０に、印刷の対象となっている画像３０３と、その画像の印刷設定を表示する。入力画像リスト３００は、画像３０３の上に表示される。なお、ここでいう印刷設定は、例えば、明るさ、コントラスト、トーンカーブ等の各種調整パラメータであり、印刷の際に反映させるものである。
【００１９】
ユーザが入力画像リスト３００に表示された一覧から所望の入力画像データを選択すると、その選択された入力画像データに基づいて、図３の下段の入力画像リスト３００のように表示される。すなわち、入力画像データが選択されると、入力画像リスト３００には、選択された入力画像データのみが表示されると共に、選択されていない入力画像データを表示できるようにスクロールバーが表示される。さらに、ユーザが履歴の適用リスト３０１を選択すると、入力画像リスト３００で選択された入力画像データに基づいて過去に印刷した履歴の一覧が、図３の下段の履歴の適用リスト３０１のように表示される。例えば、「ＣＩ０５０２．ｔｉｆｆ」というファイルを過去に異なる印刷設定で複数回、印刷していた場合には、複数回の印刷履歴の一覧が表示される。図３の下段の履歴の適用リスト３０１では、複数回の印刷履歴それぞれの印刷設定及び履歴情報と、各印刷設定を反映した見出し画像とが、設定候補として表示される。また、図３の下段の履歴の適用リスト３０１に表示される印刷設定は、基準となる画像の印刷履歴との差分のみが表示される。例えば、「ＣＩ０５０２．ｔｉｆｆ」は、２０１１年２月１日１２：００に印刷されていたことが分かる。さらに、そのファイルは、２０１１年６月１日１２：００、２０１１年６月１日１７：００にも印刷されているが、その時には、明るさがそれぞれ＋２０、＋１０に変更されて印刷されていたことが分かる。本実施形態では、図３の下段の履歴の適用リスト３０１に示すように、例えば変更された明るさについての差分のみを表示する。このように、下段の履歴の適用リスト３０１内で、基準となる画像およびその印刷設定と、印刷設定の変更分およびその変更分が反映されたサムネイル画像とが並列に表示されることで、ユーザは、各印刷設定が反映された各画像を容易に比較することができる。
【００２０】
図４は、ディスプレイ１７に表示される、入力画像データの印刷履歴の表示画面の他の例を示す図である。図３の入力画像リスト３００や履歴の適用リスト３０１では、見出し画像を一覧表示していた。これに対し、図４では、ファイル名、印刷設定、及び履歴情報のうち少なくとも一つが一覧表示され、ユーザにより選択されたファイル名、印刷設定及び履歴情報のうち少なくとも一つに対応する見出し画像のみが、表示４００及び４０１に表示される。そして、ユーザが入力画像リストに表示された一覧から所望の入力画像データを選択すると、その選択された入力画像データに基づいて、図４の下段の入力画像リストのように表示される。すなわち、入力画像データが選択されると、入力画像リストには、選択された入力画像データのみが表示されると共に、選択されていない入力画像データを表示できるようにスクロールバーが表示される。さらに、ユーザが履歴の適用リストを選択すると、入力画像リストで選択された入力画像データに基づいて過去に印刷した履歴の一覧が、図４の下段の履歴の適用リストのように表示される。図４の下段の履歴の適用リストでは、複数回の印刷履歴それぞれの印刷設定及び履歴情報が設定候補として表示される。このとき、図３と同様に、履歴の適用リストに表示される印刷設定は、基準となる画像の印刷履歴との差分のみが表示される。
【００２１】
図５は、履歴の適用リスト３０１の表示３０５を表示するための表示条件を設定する設定画面の一例を示す図である。本実施形態では、入力画像リスト３００で選択して特定された入力画像データと、表示条件に従って同じ範囲内とみなされる入力画像データが、外部記憶部１９から検索される。例えば、図５の設定５００では、検索対象として、拡張子を含んだファイル名が同じものか、拡張子を含まずにファイル名が同じものか、先頭から指定された文字数分のファイル名が同じものか、画像の画素数が同じもののいずれかを選択可能である。また、設定５０１では、印刷履歴の検索範囲を設定することができる。例えば、月日の範囲を設定することができ、また、検索範囲を指定なしとすることもできる。なお、印刷履歴の検索範囲は、これに限定されるものではなく、例えば、複数のユーザがホストコンピュータやプリンタを使用する場合は、ユーザを選択することができるようにしてもよい。
【００２２】
設定５０２では、履歴の適用リスト３０１での印刷設定の差分の表示方法を選択することができる。例えば、図３の履歴の適用リスト３０１で表示されているように、基準となる最上段の「ＣＩ０５０２．ｔｉｆｆ」の印刷設定からの差分を表示するように設定可能である。また、基準となる入力画像データの印刷設定からの差分ではなく、直前の履歴の印刷設定との差分を表示するように設定することもできる。
【００２３】
設定５０３では、印刷設定の項目が複数あって履歴の適用リスト３０１で印刷設定の差分を表示する場合に、印刷設定のいずれの項目についての差分を優先的に表示するかを設定することができる。例えば、第１優先として、トーンカーブについての差分を履歴の適用リスト３０１の一覧上の上位に表示するように設定することができる。設定５０３では、第２優先として、例えば、日時についての差分を表示するように設定している。また、設定５０３では、第２優先までの設定しかないが、第３優先以上を設定可能としても良い。また、印刷設定の項目が複数ある場合に、その項目の所定の並び順を履歴の適用リスト３０１の表示形態に反映するようにしても良い。
【００２４】
図６は、入力画像データ２０１をＰＤＬ形式等のデータに変換してプリンタ３０に送信するか、若しくは、ファイルとして外部記憶部１９に保存するかを選択するための設定画面の一例を示す図である。ユーザが出力先設定１６０１で「保存先を選択」を選択した場合には、例えば、外部記憶部１９内の保存領域の一覧（不図示）がさらに表示され、ユーザが所望の保存先を選択することができる。また、変換可能なファイル形式の一覧も表示され、ユーザが所望のファイル形式を選択するようにしても良い。図２のファイル変換部２０６は、色変換部２０４により変換された画像データを、図６の設定画面で選択されたファイル形式に変換し、ユーザにより選択された保存先に保存する。一方、ユーザが出力先設定１６０１で「プリンタ」を選択した場合には、図２のコマンド部２０５は、色変換部２０４により変換された画像データに対して、プリンタ３０が解釈可能な、例えばＰＤＬコマンドを付加してプリンタ３０に送信する。
【００２５】
図７は、履歴の適用リスト３０１の表示の一例を示す図である。図７は、ある入力画像データに対して、ユーザが過去にトーンカーブの設定を２回行った例を示している。履歴の適用リスト３０１には、履歴７０１と履歴７０２が表示されている。履歴７０１は、ユーザが２０１１年２月１日１２：００に、トーンカーブを、ＲＧＢ階調＝（３２，０）、（７３，６２）、（１８４，２２０）、（２５５，２５５）の各点を通るように設定したことを示している。また、履歴７０２は、ユーザが２０１１年２月１日１２：０３に、トーンカーブを、ＲＧＢ階調＝（３２，０）、（７３，６２）、（２０３，１９８）、（２５５，２５５）の各点を通るように設定したことを示している。
【００２６】
図７では、履歴７０２に示すように、前回、即ち履歴７０１と異なる点の数値（２０３，１９８）のみが表示されている。履歴７０２中に表示されている上向きの矢印は、直前の履歴７０１中で矢印で示された数値と同じことを示している。履歴７０２に示すような表示により、ユーザは、トーンカーブの変更点を容易に認識することができる。
【００２７】
表示７１１には、ユーザが履歴の適用リスト３０１で選択した履歴の印刷設定が反映された画像が表示される。また、履歴７０１及び７０２にも、各印刷設定が反映された見出し画像が表示される。表示７０２には、ユーザが履歴の適用リスト３０１で選択した履歴の印刷設定、即ちトーンカーブが表示される。図７は、ユーザが履歴７０１を選択した場合を示しており、表示７１１には、履歴７０１の印刷設定（トーンカーブ）が反映された画像が表示され、表示７１２には、履歴７０１のトーンカーブが表示される。図８は、ユーザが履歴７０２を選択した場合を示しており、表示７１１には、履歴７０２の印刷設定（トーンカーブ）が反映された画像が表示され、表示７１２には、履歴７０２のトーンカーブが表示される。
【００２８】
図９は、入力画像リスト３００の表示制御処理の手順を示すフローチャートである。図９は、ホストコンピュータ２０のＣＰＵ１１により実行される処理フローである。図９に示す処理が開始される前に、過去に入力画像データ２０１に対して、ユーザにより画像データの編集作業が実行されているとする。つまり、色調整部２０３や色変換部２０４による処理が実行された画像データが、印刷設定及び属性情報と関連付けられて外部記憶部１９に保存されている。ここで、属性情報とは、例えば、画像データのファイル名や画素数である。
【００２９】
まず、Ｓ９０１において、外部記憶部１９に保存されている画像データのリストを取得する。この画像データのリストには、画像データと、各画像データの属性情報が含まれている。Ｓ９０２において、現在選択されている画像と同じ画像がＳ９０１で取得されたリストにあるか判定する。本実施形態では、図３の現在の印刷対象の画像３０３の属性情報と同じ属性情報を有する画像データがＳ９０１で取得されたリストにあるか否かを判定する。ここで、あると判定された場合には、Ｓ９０３に進み、ないと判定された場合にはＳ９０４に進む。属性情報の一致の条件としては、例えば、ファイル名の一致であっても良いし、画素数でも良い。
【００３０】
Ｓ９０３においては、同じ属性情報を有する画像データの見出し画像とファイル名を、図３の下段の入力画像リスト３００のようにデフォルト表示する。つまり、図３の上段の入力画像リスト３００のように一覧表示された場合には、最上段に表示されることになる。なお、同じ属性情報を有する画像データが複数ある場合は、その先頭をデフォルト表示する。
【００３１】
Ｓ９０４においては、Ｓ９０１で取得されたリストの先頭に位置する画像データの見出し画像と属性情報（例えば、ファイル名）を選択可能な状態としてデフォルト表示する。Ｓ９０５において、現在の印刷対象の画像３０３に対応する画像データは、その属性情報と関連付けて外部記憶部１９に保存される。
【００３２】
図１０は、履歴の適用リスト３０１の表示制御処理の手順を示すフローチャートである。図１０は、ホストコンピュータ２０のＣＰＵ１１により実行される処理フローである。図１０では、Ｓ１００１〜Ｓ１００４において、図５の設定画面で設定された表示条件を取得する。まず、Ｓ１００１において、設定５００で設定された履歴画像表示条件（検索条件）を取得する。次に、Ｓ１００２において、設定５０１で設定された印刷履歴の検索範囲を取得し、Ｓ１００３において、設定５０２で設定された差分表示条件を取得する。そして、Ｓ１００４において、設定５０３で設定された差分表示順を取得する。なお、これらの表示上限の取得順はこれに限定されるものではない。
【００３３】
Ｓ１００５において、入力画像リスト３００でユーザより選択された画像データと、Ｓ１００１〜Ｓ１００４で取得された条件に合致する画像データを外部記憶部１９から検索する。Ｓ１００６では、検索の結果、合致する画像データがあるか否かを判定する。ここで、合致する画像データがあると判定された場合には、Ｓ１００７に進み、合致する画像データがないと判定された場合には、Ｓ１００８に進む。
【００３４】
Ｓ１００７において、合致すると判定された画像データのリストを作成し、履歴の適用リスト３０１として、見出し画像と印刷設定を表示する。一方、Ｓ１００８においては、図３の履歴の適用リスト３０１の「適用しない」のように、該当する画像データがない旨を表示する。
【００３５】
図１１は、履歴の適用リスト３０１を表示し、ユーザにより所望の履歴が選択された後の処理の手順を示すフローチャートである。図１１は、ホストコンピュータ２０のＣＰＵ１１により実行される処理フローである。Ｓ１１０１において、ユーザにより選択された履歴の印刷設定を取得する。例えば、ユーザにより図７の履歴７０１が選択された場合には、ＲＧＢ階調＝（３２，０）、（７３，６２）、（２０３，１９８）、（２５５，２５５）の各点を通るトーンカーブの設定を取得する。
【００３６】
Ｓ１１０２において、Ｓ１１０１で取得された印刷設定において、色調整部２０３の処理に関するものがある場合には、その色調整設定に基づいて、色調整部２０３は、入力画像データ２０１に対して色調整処理を行う。次に、Ｓ１１０３において、Ｓ１１０１で取得された印刷設定において、色変換部２０４の処理に関するものがある場合には、その色変換設定に基づいて、色変換部２０４は、色調整部２０３から出力された画像データに対して色変換処理を行う。
【００３７】
次に、Ｓ１１０４において、ファイル変換部２０６は、色変換部２０４から出力された画像データをＪＰＥＧやＴｉｆｆ等のファイル形式のデータに変換し、属性情報と関連付けて外部記憶部１９に保存する。その際に、画像データをサムネイル画像等の表示用のサイズの小さいファイル形式で保存するようにしても良い。また、ユーザにより入力画像データ２０１の印刷の指示を受付けている場合には、Ｓ１１０４において、コマンド部２０５は、色変換部２０４から出力された画像データをＰＤＬ等のデータ形式に変換してプリンタ３０に送信する。
【００３８】
以上のように、本実施形態においては、過去の履歴表示において、印刷設定候補を反映した見出し画像も合わせて表示し、さらに、同じ画像を印刷設定を変更して複数回印刷していた場合には、各見出し画像に各印刷設定を反映して表示する。その際に、印刷設定候補間の差分について識別可能なように表示する。その結果、ユーザは、過去にどの画像に対してどのような印刷設定を行ったのかを容易に認識することができ、過去の印刷設定を利用する利便性が向上する。なお、上述した実施形態では、画像処理を行う画像データとファイル名が同じか画素数が同じを対応する画像データであるとしたが、これに限定されるものではない。
【００３９】
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、処理の一部または全部をＡＳＩＣ等のハードウェアで実現するようにしてもよい。また、ＣＰＵも１つのＣＰＵで全ての処理を行うものに限らず、複数のＣＰＵが適宜連携をしながら処理を行うものとしてもよい。
【図１】
2015058592.tif 000003
【図２】
2015058592.tif 000004
【図５】
2015058592.tif 000005
【図６】
2015058592.tif 000006
【図９】
2015058592.tif 000007
【図１０】
2015058592.tif 000008
【図１１】
2015058592.tif 000009
【図３】
2015058592.tif 000010
【図４】
2015058592.tif 000011
【図７】
2015058592.tif 000012
【図８】
2015058592.tif 000013